(57)【要約】【解決手段】  固定側支柱３２内にその下部を挿入されて固定側支柱３２に沿って昇降される可動側支柱３３をその垂直方向に位置決めするために、固定側支柱３２の上端部に配されているガイドリング本体部３４と、このガイドリング本体部３４に一体的に形成されているイオン発生器ケース本体部３５とを有するイオン発生器ケース本体部兼用のガイドリング部材２を備えている。【効果】  イオン発生器本体４１で発生したイオンが回転羽根の回転により発生する送風に乗って空気中に効果的に拡散され、従来から一般的に知られているイオン発生器無しの扇風機から本発明によるイオン発生器付き扇風機を作り換える際に、部品のほとんどを共用できるとともに、その作り換えが容易であり、さらに、イオン発生器が邪魔になったり、扇風機の体裁が悪くなったりする可能性がほとんどない。【選択図】  図３
2005069629.tif 000002
【特許請求の範囲】
【請求項１】
熱源を支持する支柱が、固定側の支柱と、この固定側支柱内にその下部を挿入されて上記固定側支柱に沿って昇降することができる可動側の支柱とを有するヒータにおいて、
上記昇降方向とはほぼ直交する方向において上記可動側支柱を位置決めするために上記固定側支柱の上端部に配されているガイドリング本体部と、このガイドリング本体部に一体的に形成されているイオン発生器ケース本体部とを有するイオン発生器ケース本体部兼用のガイドリング部材を備え、
上記イオン発生器ケース本体部にイオン発生器のイオン発生器本体が収容されていることを特徴とするイオン発生器付きヒータ。
【請求項２】
上記ヒータが扇風機型のハロゲンランプヒータであることを特徴とする請求項１に記載のイオン発生器付きヒータ。
【請求項３】
上記可動側支柱の上端部に支持台部がほぼ上下方向に首振り可能に取付けられ、
上記支持台部に熱源支持部がほぼ水平方向に首振り可能に支持され、
上記熱源支持部に上記熱源が取付けられていることを特徴とする請求項１または２に記載のイオン発生器付きヒータ。
【請求項４】
上記可動側支柱を上方に向って弾性的に付勢する巻きばねが上記固定側支柱内に配されていることを特徴とする請求項１、２または３に記載のイオン発生器付きヒータ。
【請求項５】
上記イオン発生器本体が、イオン発生に必要な電気部品を取付けたプリント配線基板と、上記プリント配線基板の配線パターンに電気的に接続されるようにこのプリント配線基板に直接に取付けられた電極針とを有し、
上記プリント配線基板と上記電極針の基部とが合成樹脂により一緒にモールドされていることを特徴とする請求項１〜４のうちのいずれか１つに記載のイオン発生器付きヒータ。
【発明の詳細な説明】
【技術分野】
【０００１】
本発明は、ハロゲンランプなどの熱源を支持する支柱が、固定側の支柱とこの固定側の支柱内にその下部を挿入されて上記固定側支柱に沿って昇降することができる可動側の支柱とを有するとともに、イオン発生器を備えたイオン発生器付きヒータに関するものである。
【背景技術】
【０００２】
ハロゲンランプが装着された扇風機型暖房装置（すなわち、扇風機型ハロゲンランプヒータ）が、従来から知られている。このような扇風機型ハロゲンランプヒータにおいては、支柱上に支持されたランプ支持部にランプカバー、ハロゲンランプおよびパラボラ型反射板が前方から後方に向って順次取付け配置されている。そして、前方に突出したほぼ椀形状のガード用ネットが、ランプカバーおよびハロゲンランプを前方から包囲しかつ反射板の反射面に対向するように、反射板に取付けられている。したがって、上記公知の扇風機型ハロゲンランプヒータによれば、このヒータが配置されている部屋を少ない消費電力で短時間のうちにまんべんなく暖めることができ、また、火災、火傷などに対する安全性も高い。
【特許文献１】実用新案登録第３０７８５３９号公報
【０００３】
一方、イオン発生器を組み込んだ扇風機も従来から知られている。このようなイオン発生器対扇風機においては、回転羽根の前部を覆う前部ガードの中央部に電気絶縁性の筒状支持体を回転羽根の回転軸と平行になるように固定している。そして、この筒状支持体の内側にイオン化電極（すなわち、電子放射電極）を取付け、この電子放射電極にマイナス数千ボルトの電圧を印加するようにしている。したがって、上記公知のイオン発生器付き扇風機によれば、イオン化電極から発生したイオンが回転羽根の回転により発生する送風に乗って空気中に効果的に拡散される。
【特許文献２】特開２００２−３０３２９６号公報
【発明の開示】
【発明が解決しようとする課題】
【０００４】
上述のように構成された公知の扇風機型ハロゲンランプヒータにおいて、上述のように構成された公知のイオン発生器付き扇風機の示唆に基づいて、イオン発生器を組み込むことが考えられる。このとき、上記公知のイオン発生器付き扇風機の場合と同様にして、上記公知の扇風機型ハロゲンランプヒータにイオン発生器を単に組み込んだ場合には、上記公知の扇風機型ハロゲンランプヒータのガード用ネットの中央部に、上記公知のイオン発生器付き扇風機のイオン発生器の筒状支持体および電子放射電極が配設されることになる。したがって、上記電子放射電極とイオン発生器の他の電気部品との間の配線が複雑になるので、体裁が悪くなる。また、ガード用ネットの構成が特殊になるので、従来から一般的に知られている扇風機型ハロゲンランプヒータのガード用ネットをそのまま使用するのが困難である。しかも、電子放射電極がその内側に取付けられた筒状支持体が外部からよく目立つので、体裁がさらに悪くなる。
【０００５】
本発明は、上記公知の扇風機型ハロゲンランプヒータに上記公知のイオン発生器付き扇風機の示唆に基づいてイオン発生器を組み込んだ場合の上述のような欠点を簡単な構成により効果的に是正し得るようにしたものである。
【課題を解決するための手段】
【０００６】
本発明は、熱源ランプとしてのハロゲンランプなどの熱源を直接または間接的に支持する支柱が、固定側の支柱と、この固定側支柱内にその下部を挿入されて上記固定側支柱に沿って昇降することができる可動側の支柱とを有するイオン発生器付きヒータにおいて、上記昇降方向とはほぼ直交する方向において上記可動側支柱を位置決めするために上記固定側支柱の上端部に配されているガイドリング本体部と、このガイドリング本体部に一体的に形成されているイオン発生器ケース本体部とを有するイオン発生器ケース本体部兼用のガイドリング部材を備え、上記イオン発生器ケース本体部にイオン発生器のイオン発生器本体が収容されたものである。
【０００７】
なお、本発明においては、上記イオン発生器付きヒータが扇風機型のハロゲンランプヒータであるのが好ましい。また、本発明においては、上記可動側支柱の上端部に支持台部がほぼ上下方向に首振り可能に取付けられ、上記支持台部に熱源支持部がほぼ水平方向に首振り可能に支持され、上記熱源支持部に上記熱源が取付けられているのが好ましい。また、本発明においては、上記可動側支柱を上方に向って弾性的に付勢する巻きばねが上記固定側支柱内に配されているのが好ましい。さらに、本発明においては、上記イオン発生器本体が、イオン発生に必要な電機部品を取付けたプリント配線基板と、上記プリント配線基板の配線パターンに電気的に接続されるようにこのプリント配線基板に直接に取付けられた電極針とを有し、上記プリント配線基板と上記電極針の基部とが合成樹脂により一緒にモールドされているのが好ましい。
【発明の効果】
【０００８】
本発明によれば、ハロゲンランプなどの熱源のほぼ下方に配されたイオン発生器本体で発生したイオンがイオン発生器ケース本体部から外部に放射されるので、上記イオンが上記熱源から放出される熱により発生する自然対流に乗って空気中に効果的に拡散される。
【０００９】
また、従来から一般的に知られているイオン発生器無しのヒータにおいて、ガイドリング部材（すなわち、後述のガイドリング本体部３４のみに相当する従来の部材）を、イオン発生器本体が収容されているイオン発生器ケース本体部兼用のガイドリング部材に取換えるとともに、上記イオン発生器本体に給電するためのリード線をイオン発生器動作スイッチを含めて基台内および／または基台上に配線することなどを行うだけで、本発明によるイオン発生器付きヒータに作り換えることができる。したがって、上記従来のイオン発生器無しのヒータのほとんどの部品を本発明によるイオン発生器付きヒータにそのまま使用することができる利便性があるとともに、上記従来のイオン発生器無しのヒータから本発明によるイオン発生器付きのヒータに作り換える作業が簡単である。
【００１０】
また、従来から一般的に知られているガイドリング部材（すなわち、上記従来の部材）にイオン発生器ケース本体部（および場合によってはイオン発生器ケースカバー部）を一体的に形成し、このイオン発生器ケース本体部にイオン発生器本体を収容するようにした。したがって、ヒータにイオン発生器を組み込む作業工程が簡単であり、また、ヒータの搬送や使用の際に、イオン発生器が邪魔になったり、ヒータの体裁が悪くなったりする可能性がほとんどない。
【００１１】
また、請求項２に記載の発明によれば、熱源としてのハロゲンランプから放出される遠赤外線などの光線によって、イオン発生器付きヒータが配置されている部屋などを少ない消費電力で短時間のうちにまんべんなく暖めることができ、また、火災、火傷などに対する安全性も高い。
【００１２】
また、請求項３に記載の発明によれば、ハロゲンランプなどの熱源およびその熱源支持部を支柱に対してほぼ上下方向およびほぼ水平方向にそれぞれ容易に首振りさせることができる。
【００１３】
また、請求項４に記載の発明によれば、可動側支柱を固定側支柱に対して上昇させる操作を軽快に行うことができる。
【００１４】
さらに、請求項５に記載の発明によれば、イオン発生器本体の電極針と他の電気部品との配線をプリント配線基板の配線パターンによって行うことができて別の高電圧配線を行う必要がなく、また、電極針をイオン発生器本体の残りの部分の近くに配することができる。
【発明を実施するための最良の形態】
【００１５】
つぎに、本発明をイオン発生器付き座敷用扇風機型ハロゲンランプヒータに適用した一実施例を図面を参照して説明する。
【実施例１】
【００１６】
図１〜図１０に示すイオン発生器付き座敷用扇風機型ハロゲンランプヒータ１は、図１〜図４に示すように、ガイドリング部材２に一体的にイオン発生器３が設けられていることを除いて、従来から一般的に知られている座敷用扇風機型のハロゲンランプヒータ（換言すれば、熱源としてハロゲンランプが装着された暖房機）と実質的に同一の構造であってよい。したがって、ハロゲンランプヒータ１は、図１および図２に示すように、
（ａ）  基台４、
（ｂ）  基台４上に立設された支柱（すなわち、スタンド）５、
（ｃ）  支柱５の上端部に支持台部８を介して取付け支持された熱源支持部６、
（ｄ）  熱源支持部６に取付け支持された熱源としてのハロゲンランプ７、
（ｅ）  パラボラ型（すなわち、ほぼ回転放物面の形状）などの湾曲した凹面形状の反射面９がハロゲンランプ７の後面側に対向するように、ハロゲンランプ７の後位において熱源支持部６に取付け支持された反射板１０、
（ｆ）  その後面に設けられた反射面１５がハロゲンランプ７の前面側に対向するように、ハロゲンランプ７の前位において熱源支持部６に取付け支持された前方に突出するほぼ皿形状のランプカバー１１、
（ｇ）  ランプカバー１１およびハロゲンランプ７を前方から包囲しかつ反射板１０の反射面９に対向するように、反射板１０の外周囲に取付け支持された前方に突出するほぼ椀形状のガード用ネット１２、
をそれぞれ備えていてよい。
【００１７】
支柱５は、図１および図２に示すように、首振り用のモータ１３（図１０参照）が内蔵された熱源支持部６を支持台部８を介して支持している。また、ハロゲンランプ７は、熱源支持部６を取り囲むように、切れ目を１ヶ所有するほぼリング状のものであってよい（図１０参照）。また、熱源（ハロゲンランプ）としては、遠赤外線を多量に放出することができる遠赤外線ランプ（還元すれば、遠赤外線加熱ユニット）７が用いられるのが好ましい。さらに、ガード用ネット１２は、中央連結部材１６と、外周縁部材１７と、これらの中央連結部材１６と外周縁部材１７との間に放射方向に延びるように張り渡された多数のワイヤ１８とから成っていてよい。
【００１８】
基台４の上面板部４ａには、図１および図１０に示すように、ハロゲンランプ７および首振りモータ１３のための電源スイッチ兼用のタイマースイッチ２１、イオン発生器動作スイッチ２２、首振りスイッチ２３およびＬＥＤなどの発光素子（イオン発生器３への電源オン時に点灯）２４がそれぞれ設けられていてよい。なお、電源スイッチ兼用のタイマースイッチ２１は、回動操作式であってよく、切（電源オフ）、連続（電源連続オン）およびタイマー（設定時間中だけ電源オン）の操作を手動で行えるようになっている。また、イオン発生器動作スイッチ２２および首振りスイッチ２３は、それぞれ、プッシュ・プッシュ式オン・オフ・スイッチであってよい。さらに、発光素子２４は、イオン発生器動作スイッチ２２が入っているときに、イオン発生器３が動作状態であることを点灯表示する。
【００１９】
図１および図２に示す熱源支持部６は、従来から一般的に知られているように、ほぼ垂直方向に延びる回転軸（図示せず）の回りを支持台部８に対して往復回動（すなわち、水平方向に首振り）できるようになっていてよい。そして、上述の首振りスイッチ２３を手動により操作することによって、熱源支持部６（ひいては、ハロゲンランプ７、反射板１０、ランプカバー１１、ガード用ネット１２およびモータ１３）が水平方向における首振り動作を継続的に行ったり、水平方向における首振り動作を行わなかったりする。また、支持台部８（ひいては、熱源支持部６、ハロゲンランプ７、反射板９、ガード用ネット１２など）は、従来から一般的に知られているように、手動により支柱５に対して上下方向に往復回動（すなわち、垂直方向に首振り）させることができるようになっていてよい。このために、支持台部８は、図２に示すように、支持軸１４によって支柱５（具体的には、後述の可動側支柱３３）の上端部に上下方向に往復回動可能に軸支されている。
【００２０】
支柱５は、図１〜図３に示すように、基台４上にその下端部を結合された下側（すなわち、固定側）の支柱３２と、この固定側支柱３２に昇降可能に取付けられた上側（すなわち、可動側）の支柱３３とを備えている。そして、可動側支柱３３の上端部には、支持軸１４によって支持台部８が取付けられている。
【００２１】
ガイドリング部材２には、図１〜図５に示すように、イオン発生器３が設けられている。このために、ガイドリング部材２は、図３〜図９に示すように、従来から一般的に知られている座敷用扇風機型のハロゲンランプヒータのガイドリング部材と実質的に同一の構成を有するガイドリング本体部３４と、イオン発生器ケース本体部３５とを備えている。そして、これらのガイドリング本体部３４およびイオン発生器ケース本体部３５は、互いに一体成形されている。また、ガイドリング本体部３４は、従来から一般的に知られているように、リング状のガイド部３６と、このリング状ガイド部３６からほぼ下方に向って延びる１つまたは複数（図示の実施例の場合には４本）の取付け脚部３７とを備えている。そして、これらのリング状ガイド部３６および取付け脚部３７は、互いに一体成形されている。
【００２２】
イオン発生器ケース本体部３５は、図３〜図９に示すように、リング状ガイド部３６の一部分上に一体成形により形成されている。そして、このイオン発生器ケース本体部３５は、上記一部分を含めてほぼ箱蓋形状に構成され、その内部には、ほぼ水平に延びる仕切り板部３８が一体成形により形成されている。また、イオン発生器ケース本体部３５の内部空間のうちの仕切り板部３８によって仕切られた一方の空間（図示の実施例の場合には、下方空間）３９には、図３および図４に示すように、イオン発生器本体４１が収容保持されている。そして、イオン発生器ケース本体部３５の開放面（すなわち、後面開口）は、必要に応じてこのケース本体部３５に着脱可能に取付けられたイオン発生器ケース蓋板（すなわち、イオン発生器ケースカバー部材）４２によって、被蓋されている。したがって、イオン発生器ケース本体部３５、イオン発生器本体４１およびイオン発生器ケースカバー部材４２によって、イオン発生器３が構成されている。なお、上述のようにイオン発生器ケース本体部３５をリング状ガイド部３６（ひいては、ガイドリング本体部３４）と一体成形すれば、ケース本体部３５をリング状ガイド部３６に接着剤などにより結合する手間が省けるとともに、部品点数を少なくすることができる。
【００２３】
図３〜図５に示すイオン発生器本体４１は、従来から一般的に知られている電子放射式、コロナ放電式などのマイナスイオン発生器（図示の実施例の場合には、電子放射式のもの）と実質的に同一の構造および回路構成を備えていてよく、高圧発生回路、高圧変圧器、高圧ダイオードなどのイオン発生に必要な各種の電気部品（図示せず）が半田付けなどにより取付けられたプリント配線基板４３が合成樹脂によってモールド成形されたものであってよい。そして、プリント配線基板４３の配線パターンに電気的に接続されるようにこのプリント配線基板４３に半田付けなどにより直接に取付けられた電極針（図示の実施例の場合には、電子放射電極針）は、その基部が合成樹脂によりモールドされるとともに、その基部以外がモールド樹脂から外部にコ字状などに突出して延びている。なお、仕切り板部３８には、電極針挿通用の切込みまたは開孔４５が設けられている。そして、電極針４４は、下方空間３９から切込みまたは開孔４５を通って上方空間（すなわち、イオン発生器ケース本体部３５の内部空間のうちの仕切り板部３８によって仕切られた他方の空間）４６までその先端部が延びている。
【００２４】
イオン発生器ケース本体部３５の上板部３５ａおよび側板部（図示の実施例においては、前側板部）３５ｂには、電極針４４から電子がイオン発生器ケース本体部３５の外部に放射されるように、１つまたは複数の開孔４７、４８がそれぞれ形成されている（図３、図５など参照）。そして、開孔４７、４８は、それぞれ、上方空間４６を外部に連通させている。また、開孔４７、４８には、装飾性を高めるために、長手状溝４９、５０がそれぞれ一列（すなわち、１つの開孔４７または４８と１つの長手状溝４９または５０が全体として一列）になるように連設されている。なお、図示の実施例においては、開孔４７は小孔であり、また、開孔４８は長孔である。
【００２５】
リング状ガイド部３６は、図３、図８などに示すように、その縦断面がほぼ倒立Ｌ字形状であって、その内周部から下方に延びるリング状突出部５１を備えている。また、このリング状突出部５１の外周面の上端には、上方に切れ込んだリング状溝５２が形成されている。そして、このリング状溝５２には、固定側支柱３２のこれとほぼ同形の上端部が嵌合されることによって、イオン発生器ケース本体部兼用のガイドリング部材２（ひいては、イオン発生器付きガイドリング部材）が固定側支柱３２の上端部に位置決め固定されている。
【００２６】
固定側支柱３２は、少なくとも上方部分が中空構造になっている。そして、ガイドリング本体部３４の４本の取付け脚部３７には、図５、図６などに示すように、係合用凹部５３が形成されている。また、固定側支柱３２の内周面には、係合用凹部５３に係合する係合用突起（図示せず）が形成されている。そして、固定側支柱３２にガイドリング本体部３４を取付けるときに、これらの係合用突起が係合用凹部５３に相対的に嵌合することによって、固定側支柱３２に対する取付け脚部３７の抜け止めが施されるようになっている。なお、上記係合用突起の必要な箇所にアールを形成しておけば、ガイドリング本体部３４（ひいては、イオン発生器付きガイドリング部材２）を固定側支柱３２から手動で（ただし、強い力を加えて）取外すことができる。
【００２７】
ガイドリング部材２のリング状ガイド部３６および固定側支柱３２内には、図３および図４に示すように、可動側支柱３３の下部が挿入されている。なお、可動側支柱３３も、固定側支柱３２と同様に、中空構造であってもよい。そして、可動側支柱３３が固定側支柱３２およびリング状ガイド部３６に対して回り止めを施されるように、リング状ガイド部３６の内周面（および場合によっては外周面）、固定側支柱３２の内周面（および場合によっては外周面）ならびに可動側支柱３３の外周面（および場合によっては内周面）の横断面の形状は、従来から一般的に知られているように、ほぼ楕円形状であってよい。また、リング状ガイド部３６（ひいては、イオン発生器ケース本体部兼用のガイドリング部材２）、固定側支柱３２および可動側支柱３３のそれぞれは、ポリプロピレンなどの合成樹脂やアルミ合金などの金属から一体成形などにより形成されていてよい。
【００２８】
固定側支柱３２の内周面には、従来から一般的に知られているように、巻きばね５４の外周端部（換言すれば、上端部）５４ａが取付け具５５によって取付け固定されている（図３参照）。なお、巻きばね５４は、図３に示すように、板ばね材料をその一端部から自由な状態で巻き込んで巻き込み癖をつけたものであってよい。そして、巻きばね５４の巻回部分５４ｂは、可動側支柱３３の下端面の一部分を上方に弾性的に押圧するように、こんも一部分に当接している。
【００２９】
可動側支柱３３は、図３に示すように、リング状ガイド部３６の内周面によってそのほぼ水平方向を位置決めされている。そして、可動側支柱３３を手動で固定側支柱３２に沿って昇降させるときには、可動側支柱３３の外周面がリング状ガイド部３６の内周面を摺動する。また、可動側支柱３３の下端面には、巻きばね５４の巻き込み癖による弾性付勢力が加わっているので、可動側支柱３３は、不測に下降する恐れがなく、手動で昇降させた位置に保持される。そして、巻きばね５４は、可動側支柱３３の昇降に応じて、巻き込まれたり、巻き戻されたりする。
【００３０】
図１０には、図１および図２に示すイオン発生器付きハロゲンランプヒータ１の電気回路図が示されている。なお、この図１０に示す電気回路は、従来から一般的に知られているハロゲンランプ７の点灯のための第１の回路部分にイオン発生器３の動作のための第２の回路部分が付加されたものである。また、上記第１の回路部分において、６１はＡＣ電源、６２はヒューズ、６３は進相コンデンサである。
【００３１】
上記第２の回路部分は、図１０に示すように、イオン発生器動作スイッチ２２とイオン発生器本体４１との直列回路を含んでいる。そして、この直列回路の両端は、ＡＣ電源６１にそれぞれ接続されている一対の給電端子６４ａ、６４ｂにそれぞれ接続されている。また、上記第２の回路部分は、極性が互いに逆になるように並列接続された一対のＬＥＤ（発光素子）２４と抵抗６５との直列回路を含んでいる。そして、この直列回路は、イオン発生器本体４１に並列接続されている。
【００３２】
図１０に示す電気回路図中のモータ１３、進相コンデンサ６３およびイオン発生器本体４１以外の回路部品は、従来から一般的に知られているように、基台４の上面板部４ａに取付けられているか、あるいは、基台４内に収容されている。また、モータ１３および進相コンデンサ６３は、熱源支持部６内に収容されている。そして、図１〜図９においては、モータ１３を熱源支持部６内の回路部品に接続するための第１のリード線の図示は省略されているが、この第１のリード線は従来から一般的に知られているように支柱５内を通って基台４まで延びていてよい。また、基台４の上面板部４ａに取付けられているか、あるいは、基台４内に収容されている回路部品にイオン発生器本体４１を接続するための第２のリード線６６は、図３〜図５に示すように、イオン発生器ケース蓋板４２に形成されたリード挿通用の切込みまたは開孔６７を通して上記第１のリード線と同様に支柱５内を通って基台４まで延びていてよい。
【００３３】
上述のように構成されたイオン発生器付きハロゲンランプヒータ１によれば、電源スイッチ兼用のタイマースイッチ２１を操作することによって、従来から一般的に知られているようにハロゲンランプ７が点灯するので、このハロゲンランプ７から遠赤外線が放射される。そして、この放射された遠赤外線は、直接またはランプカバー１１の反射面１５に反射された後に反射板１０の反射面９に反射されるので、この反射面９の前方の空間に放射される。そして、ハロゲンランプヒータ１が配置されている部屋が遠赤外線による熱によって暖められるので、この部屋の空気は自然対流する。この場合、首振りスイッチ２３を操作することによって、従来から一般的に知られているように熱源支持部２３、ハロゲンランプ７、反射板１０、ランプカバー１１、ガード用ネット１２などに水平方向の首振り動作を行わせることができるので、上述のような空気の自然対流がさらに効果的に行われる。
【００３４】
また、イオン発生器動作スイッチ２２を操作することによって、それ自体は従来から一般的に知られているようにイオン発生器本体４１の回路動作が行われるので、イオン発生器本体４１内の高圧変圧器(図示せず)から高圧ダイオード(図示せず)を介して電極針４４に高電圧パルスが印加される。したがって、浮遊容量としての（イオン発生器ケース本体３５の）上方空間４６に電極針４４から電子が直接に放射されるので、空気中の酸素分子がマイナスイオン化される。そして、このマイナスイオンがイオン発生器ケース本体部３５の開孔４７、４８から外部に放出されるので、上記マイナスイオンは、ハロゲンランプ７が上述のように点灯中であれば、上述のような自然対流に乗って空中（換言すれば、ハロゲンランプヒータ１が配置されている部屋中）に効果的に拡散される。
【産業上の利用可能性】
【００３５】
以上において、本発明の一実施例について詳細に説明したが、本発明は、この実施例に限定されるものではなく、特許請求の範囲に記載された発明の趣旨に基づいて各種の変更および修正が可能である。
【００３６】
例えば、上述の実施例においては、可動側支柱３３を巻きばね５４により上方に向って弾性的に付勢するようにした。しかし、巻きばね５４以外のコイルスプリングなどの別の種類のばね手段、その他の弾性付勢手段により可動側支柱３３を上方に向って弾性的に付勢するようにしてもよく、さらには、上方への弾性付勢を行わずに、油圧などにより昇降させるようにしてもよい。
【００３７】
また、上述の実施例においては、リング状ガイド部３６の内周面、固定側支柱３２の内周面および可動側支柱３３の外周面の横断面の形状を可動側支柱３３の回り止めのためにほぼ楕円形状にした。しかし、これらの内周面および外周面の横断面の形状は、円形以外の別の回り止め形状であってもよく、さらには、ほぼ円形にして、上下方向に延びる条溝とこの条溝に嵌合して相対的に摺動する突起とを例えば可動側支柱３３の外周面およびリング状ガイド部３６のうちのいずれか一方および他方にそれぞれ設けてもよく、また、必要に応じて別の回り止め手段を設けることもできる。
【００３８】
また、上述の実施例においては、イオン発生器ケース本体部３５をリング状ガイド部３６と一体成形するようにした。しかし、イオン発生器ケース本体部３５とリング状ガイド部３６とを互いに別個に成形してから両者を接着剤などにより互いに結合することによって、両者を互いに一体的に形成するようにしてもよい。
【００３９】
また、上述の実施例においては、イオン発生器ケースカバー部材４２をイオン発生器ケース本体部３５とは別体に形成してから、このカバー部材４２をケース本体部３５に取付けるようにした。しかし、上記カバー部材４２は肉薄のヒンジ部を介して上記ケース本体部３５に一体成形されていてもよい。この場合には、カバー部材４２は上記肉薄ヒンジ部において屈曲することによりケース本体部３５の前記開放面を開閉することができる。さらには、イオン発生器本体４１自体に上記カバー部材４２に代るものを設けることなどによって、上記カバー部材４２を省略してもよい。
【００４０】
また、上述の実施例においては、イオン発生器３として電子放射式のマイナスイオン発生器を用いた。しかし、コロナ放電式のマイナスイオン発生器などの別の種類の給電式イオン発生器、さらには、その他のイオン発生器を用いてもよい。
【００４１】
また、上述の実施例においては、イオン発生器３のイオン発生用電極として電極針４４を用いた。しかし、イオン発生用電極は必ずしも針状電極４４である必要はなく、公知のイオン発生器付き扇風機（特開２００２−３０３２９６号公報）に用いられているように、鋸歯状の電極であってもよい。
【００４２】
また、上述の実施例においては、イオン発生器本体４１にイオン発生用の電極針４４のみを設けた。しかし、互いに対向する一対の電極からなるオゾン発生電極を電極針４４とは別にイオン発生器本体４１に設けることができる。この場合には、上記オゾン発生電極のうちの一方の電極を前記高圧変圧器の出力側と前記高圧ダイオードの入力側との間に接続するとともに、他方の電極を上記高圧変圧器の他方の出力側端子（例えば、アース端子）に接続すればよい。また必要に応じて、イオン発生器ケース本体部３５の内部空間に上方および下方空間４６、３９とは別の第３の空間（すなわち、オゾン発生用空間）を設けるとともに、上記一対の電極をこの第３の空間内に互いに対向させて配置することができる。
【００４３】
さらに、上述の実施例においては、本発明を座敷用扇風機型のハロゲンランプヒータ１に適用したが、卓上用扇風機型のハロゲンランプヒータ、洋間用扇風機型のハロゲンランプヒータなどの別の種類の扇風機型のハロゲンランプヒータ、あるいは、これらのヒータ以外の、支柱を備えたヒータ（すなわち、暖房機）にも同様に適用することができる。
【図面の簡単な説明】
【００４４】
【図１】本発明をイオン発生器付き座敷用扇風機型ハロゲンランプヒータに適用した一実施例におけるイオン発生器付きハロゲンランプヒータ全体の斜視図である。（実施例１）
【図２】図１に示すイオン発生器付きハロゲンランプヒータ全体の部分的に縦断した左側面図である。（実施例１）
【図３】図１に示すイオン発生器付きハロゲンランプヒータの固定側支柱の上端部付近の縦断面図である。（実施例１）
【図４】図３のＡ−Ａ線における断面図である。（実施例１）
【図５】図１〜図４に示すイオン発生器付きガイドリング部材の斜視図である。（実施例１）
【図６】図５に示すイオン発生器ケース本体部兼用のガイドリング部材の正面図である。（実施例１）
【図７】図６に示すイオン発生器ケース本体部兼用のガイドリング部材の平面図である。（実施例１）
【図８】図６のＢ−Ｂ線における断面図である。（実施例１）
【図９】図６のＣ−Ｃ線における断面図である。（実施例１）
【図１０】図１に示すイオン発生器付きハロゲンランプヒータの電気回路図である。（実施例１）
【符号の説明】
【００４５】
１      イオン発生器付き座敷用扇風機型ハロゲンランプヒータ
２      イオン発生器ケース本体部兼用のガイドリング部材
３      イオン発生器
５      支柱
６      熱源支持部
７      ハロゲンランプ（熱源）
８      支持台部
３２    固定側支柱
３３    可動側支柱
３４    ガイドリング本体部
３５    イオン発生器ケース本体部
４１    イオン発生器本体
４３    プリント配線基板
４４    電極針
５４    巻きばね
【図１】
2005069629.tif 000003
【図２】
2005069629.tif 000004
【図３】
2005069629.tif 000005
【図４】
2005069629.tif 000006
【図５】
2005069629.tif 000007
【図６】
2005069629.tif 000008
【図７】
2005069629.tif 000009
【図８】
2005069629.tif 000010
【図９】
2005069629.tif 000011
【図１０】
2005069629.tif 000012